(57)【要約】【課題】  球体の被洗浄物の全体に超音波を好適に作用して、短時間で一様に洗浄可能な球体用洗浄治具と洗浄方法とを提供すること。【解決手段】  洗浄治具１は、図示しない昇降装置と接続されて上下方向に揺動可能なロッドの先端に連結されており、ボールレンズ６が挿入可能に設けられた複数の貫通孔８を有して矩形状で樹脂等からなる保持板部１０と、各貫通孔８内に挿入されたボールレンズ６が洗浄槽の下方へ脱落するのを阻止する丸棒部材（支持部、軸部材）１１とを備えている。  貫通孔８は、半径がボールレンズ６の直径よりも小さく、かつ、内径がボールレンズ６の直径よりも大きい円形断面とされ、保持板部１０の板厚方向に直線状に延びて形成されている。これらの貫通孔８は、一つの貫通孔８の周りに６つの他の貫通孔８が隣接し、それぞれの貫通孔８の中心同士を結ぶ直線が略６０度の傾きで交差するように配されている。【選択図】  図２
2006075761.tif 000002
【特許請求の範囲】
【請求項１】
球体の被洗浄物を流体で洗浄する際に、被洗浄物を保持する洗浄治具であって、
前記被洗浄物が挿入可能に設けられた貫通孔を有する保持板部と、
前記貫通孔の何れか一方の開口部に係る周端部から中心部に向けて配されて、前記貫通孔内に挿入された前記被洗浄物の脱落を阻止する支持部とを備え、
前記貫通孔の内周面の一点と、前記支持部の一点との二点で前記被洗浄物と接してこれを保持することを特徴とする洗浄治具。
【請求項２】
前記支持部と前記貫通孔の内周面との最大距離が、前記被洗浄物の直径よりも小さく、かつ、前記貫通孔の内径が前記被洗浄物の直径よりも大きく形成されていることを特徴とする請求項１に記載の洗浄治具。
【請求項３】
前記支持部が、軸部材を備えていることを特徴とする請求項１又は２に記載の洗浄治具。
【請求項４】
前記支持部が、前記貫通孔の中心軸方向に沿って前記軸部材から立設する突出部を備えていることを特徴とする請求項３に記載の洗浄治具。
【請求項５】
前記流体を通過可能な液切り孔が、前記貫通孔に沿って配されていることを特徴とする請求項１から４の何れか一つに記載の洗浄治具。
【請求項６】
複数の前記貫通孔が、互いに隣接して列状に配されていることを特徴とする請求項１から５の何れか一つに記載の洗浄治具。
【請求項７】
球体の被洗浄物を流体で洗浄する洗浄方法であって、
前記被洗浄物を挿入可能に保持板部に設けられた貫通孔に前記被洗浄物を挿入し、
前記貫通孔の内周面の一点と、
前記貫通孔の何れか一方の開口部に係る周端部から中心部に向けて配されて、前記貫通孔内に挿入された前記被洗浄物の脱落を阻止する支持部の一点との二点で前記被洗浄物と接してこれを保持しながら前記流体を流動させることを特徴とする洗浄方法。
【請求項８】
前記流動が超音波によって行われるものであることを特徴とする請求項７に記載の洗浄方法。
【発明の詳細な説明】
【技術分野】
【０００１】
本発明は、球体用洗浄治具と洗浄方法に関する。
【背景技術】
【０００２】
洗浄液中に浸漬させた球体の被洗浄物の洗浄には、洗浄槽の底面に装着した振動子から発生させた超音波による超音波洗浄が広く行われている。この際に被洗浄物を保持するための超音波洗浄用治具が種々提案されている（例えば、特許文献１参照。）。
【０００３】
しかしながら、上記従来の技術では、保持部内に被洗浄物を載置した場合、洗浄槽の下方から上方に向かって発生させた超音波を被洗浄物自身と保持板部とが遮断してしまい、液面で下方に反射される超音波が不十分となって洗浄物の上面側の洗浄を十分に行うことができないという問題がある。一方、超音波を貫通させる貫通孔の面積を増大させた場合には、保持板部における一つの保持凹部が占有する領域が増大して、被洗浄物を一度に多量に洗浄することができない。  
また、洗浄後に治具を液面から洗浄槽上方に引き上げる際、洗浄液が保持板部の上面平面部や被洗浄物を保持する段差平面部、被洗浄物と段差平面部との接触部分に溜まりやすく、液切りしにくいという課題がある。
【０００４】
さらに、被洗浄物の収納時、被洗浄物が治具の上面よりも上方に突出してしまうので、被洗浄物を収容した状態で搬送する場合や揺動する場合に発生する振動によって被洗浄物が治具から飛び出してしまう恐れがある。また、治具を上下方向に重ねた状態で洗浄することができず、生産性の向上を図ることが困難であった。
【特許文献１】特開２００４−６６１１０号公報（第１、４、５、及び、８図）
【発明の開示】
【発明が解決しようとする課題】
【０００５】
本発明は上記事情に鑑みて成されたものであり、球体の被洗浄物の全体に超音波を好適に作用して、短時間で一様に洗浄可能な球体用洗浄治具と洗浄方法とを提供することを目的とする。
【課題を解決するための手段】
【０００６】
本発明は、上記課題を解決するため、以下の手段を採用する。
本発明に係る洗浄治具は、球体の被洗浄物を流体で洗浄する際に、被洗浄物を保持する洗浄治具であって、前記被洗浄物が挿入可能に設けられた貫通孔を有する保持板部と、前記貫通孔の何れか一方の開口部に係る周端部から中心部に向けて配されて、前記貫通孔内に挿入された前記被洗浄物の脱落を阻止する支持部とを備え、前記貫通孔の内周面の一点と、前記支持部の一点との二点で前記被洗浄物と接してこれを保持することを特徴とする。
【０００７】
また、本発明に係る洗浄方法は、球体の被洗浄物を流体で洗浄する洗浄方法であって、前記被洗浄物を挿入可能に保持板部に設けられた貫通孔に前記被洗浄物を挿入し、前記貫通孔の内周面の一点と、前記貫通孔の何れか一方の開口部に係る周端部から中心部に向けて配されて、前記貫通孔内に挿入された前記被洗浄物の脱落を阻止する支持部の一点との二点で前記被洗浄物と接してこれを保持しながら前記流体を流動させることを特徴とする。
【０００８】
この洗浄治具は、球体の被洗浄物を流体で洗浄する際に、被洗浄物を貫通孔の内周面の一点と支持部の一点との二点で支持するので、流体流動下の貫通孔内で支持部との接触点回りに内周面に沿って被洗浄物を容易に転動させることができる。この際、被洗浄物と貫通孔の内周面とが一点でのみ接触しているので、洗浄槽の下方から伝達した超音波を貫通孔と被洗浄物との隙間から減衰を抑えて上面側に伝達させることができ、被洗浄物の上面側を好適に洗浄することができる。
また、洗浄終了時に保持板部を液体から引き上げる際、貫通孔を通して保持板部及び被洗浄物に付着した流体を好適に流し去ることができ、かつ、被洗浄物を容易に転動させることができ、保持板部からの液切れを短時間で行うことができる。
さらに、保持板部の板厚を被洗浄物の直径よりも大きいものとしたとき、被洗浄物を保持板部から突出することなく収容することができ、被洗浄物を収容した状態で洗浄治具を重ねることができる。
【０００９】
また、本発明に係る洗浄治具は、前記洗浄治具であって、前記支持部と前記貫通孔の内周面との最大距離が、前記被洗浄物の直径よりも小さく、かつ、前記貫通孔の内径が前記被洗浄物の直径よりも大きく形成されていることを特徴とする。
この洗浄治具は、被洗浄物を貫通孔内に収容した場合、貫通孔の内周面の一点と、支持部の一点との二点で被洗浄物と接してこれを保持することができる。
【００１０】
また、本発明に係る洗浄治具は、前記洗浄治具であって、前記支持部が、軸部材を備えていることを特徴とする。
この洗浄治具は、軸部材を貫通孔の開口部の中心部を横断するように配することによって、容易に支持部を設けることができ、被洗浄物と軸部材とを容易に一点で接触させることができる。
【００１１】
また、本発明に係る洗浄治具は、前記洗浄治具であって、前記支持部が、前記貫通孔の中心軸方向に沿って前記軸部材から立設する突出部を備えていることを特徴とする。
この洗浄治具は、突出部に被洗浄物を当接させることによって、軸部材の延びる方向にかかわらず任意の方向に被洗浄物を容易に傾けて、貫通孔の内周面に当接させることができる。
【００１２】
また、本発明に係る洗浄治具は、前記洗浄治具であって、前記流体を通過可能な液切り孔が、前記貫通孔に沿って配されていることを特徴とする。
この洗浄治具は、保持板部を流体から取り出す際に、貫通孔からのみならず液切り孔からも流体を容易に通過させることができ、被洗浄物からの洗浄液等の液体の除去を容易に、かつ、短時間に行うことができる。
【００１３】
また、本発明に係る洗浄治具は、前記洗浄治具であって、複数の前記貫通孔が、互いに隣接して列状に配されていることを特徴とする。
この洗浄治具は、限られた保持板部の面積内に多数の貫通孔を配することができ、より多くの被洗浄物を配して洗浄効率を向上することができる。
【００１４】
本発明に係る洗浄方法は、前記洗浄方法であって、前記流動が超音波によって行われるものであることを特徴とする。
この洗浄方法は、貫通孔を貫通して超音波振動を伝達することができ、また、超音波振動によって、被洗浄物を支持部回りに容易に転動させることができ、被洗浄物の表面を一様に効率よく洗浄することができる。
【発明の効果】
【００１５】
本発明によれば、球状の被洗浄物の表面を短時間で、かつ、一様に洗浄することができ、被洗浄物に良好な洗浄力を付与することができる。
【発明を実施するための最良の形態】
【００１６】
本発明に係る第１の実施形態について、図１及び図２を参照して説明する。
本実施形態に係る洗浄治具１は、図１に示すように、洗浄液（流体）２が貯留された洗浄槽３内で超音波振動子５から超音波を印加して球体のボールレンズ（被洗浄物）６を洗浄する際に、ボールレンズ６を保持するものとされている。
【００１７】
この洗浄治具１は、図示しない昇降装置と接続されて上下方向に揺動可能なロッド７の先端に連結されており、図２（ａ）（ｂ）に示すように、ボールレンズ６が挿入可能に設けられた複数の貫通孔８を有して矩形状で樹脂等からなる保持板部１０と、各貫通孔８内に挿入されたボールレンズ６が洗浄槽３の下方へ脱落するのを阻止する丸棒部材（支持部、軸部材）１１とを備えている。
【００１８】
貫通孔８は、半径がボールレンズ６の直径よりも小さく、かつ、内径がボールレンズ６の直径よりも大きい円形断面とされ、下方側開口部８Ａから上方側開口部８Ｂに向けて保持板部１０の板厚方向に直線状に延びて形成されている。これらの貫通孔８は、一つの貫通孔８の周りに６つの他の貫通孔８が隣接し、それぞれの貫通孔８の中心同士を結ぶ直線が略６０度の傾きで交差するように配されている。
【００１９】
丸棒部材１１は、例えば、保持板部１０の横方向に並ぶ貫通孔８同士を一つの貫通孔列１２としたときに、貫通孔列１２毎に、各貫通孔８の下方側開口部８Ａの周端部から中心部を通過するように保持板部１０に圧入されて配されている。
保持板部１０の板厚、及び、丸棒部材１１の直径は、貫通孔８内にボールレンズ６を挿入して丸棒部材１１に当接させた際に、貫通孔の上方側開口部８Ｂからボールレンズ６が突出しないように調整されている。
従って、ボールレンズ６を貫通孔８に挿入した際、貫通孔８の内周面８Ｃの一点と、丸棒部材１１の一点との二点でボールレンズ６と接してこれを保持することとなる。
【００２０】
次に、本実施形態に係る洗浄治具１による洗浄方法について説明する。
まず、ボールレンズ６を保持板部１０の各貫通孔８内に上方側開口部８Ｂから挿入する。
このとき、図２（ａ）（ｂ）に示すように、ボールレンズ６は、貫通孔８の内周面８Ｃの一点と、丸棒部材１１の一点との二点で洗浄治具１と接して保持される。
【００２１】
この状態の洗浄治具１をロッド７の先端に連結し、図示しない昇降装置を駆動して洗浄液２が貯留された洗浄槽３内に浸漬させた後、超音波振動子５によって洗浄液２に超音波を印加する。
この超音波によって振動状態とされた洗浄液２がボールレンズ６の表面に当たってボールレンズ６を洗浄する。
この際、ボールレンズ６と丸棒部材１１によって塞がれた部分以外の貫通孔８を超音波が下方側から上方側に通過していく。そして、超音波が洗浄液２の液面に到達して下方に反射する。
【００２２】
このとき、ボールレンズ６が貫通孔８内で保持されつつ、洗浄治具１とは二点でのみ接しているので、ボールレンズ６が貫通孔８内で不安定な状態とされている。従って、洗浄液２の上下方向からの流動によってボールレンズ６が貫通孔８内で転動してボールレンズ６に洗浄液２が満遍なく接して洗浄される。
【００２３】
ボールレンズ６の洗浄を終了する際には、図示しない昇降装置を駆動してロッド７を引き上げて、ボールレンズ６を収容した状態の洗浄治具１を洗浄槽３から取り出す。
このとき、保持板部１０の上面に滞留した洗浄液２は、貫通孔８から下方に流れ落ちていくため、洗浄液２が保持板部１０上に残留することがない。また、ボールレンズ６が貫通孔８内で容易に転動するため、表面に付着した洗浄液２も容易に下方に流れ落ちる。
一方、洗浄治具１を引き上げた状態でもボールレンズ６は各貫通孔８内に収容されているので、保持板部１０が多少傾いても、ボールレンズ６同士が接触したりボールレンズ６が貫通孔８から落下するようなこともない。
【００２４】
この洗浄治具１及び洗浄方法によれば、ボールレンズ６を二点でのみ支持しているので、僅かな外力によって貫通孔８内で容易に転動させることができる。また、洗浄槽３の下方から伝達した超音波を貫通孔８とボールレンズ６との隙間から減衰を抑えて上面側に伝達させることができる。従って、流動する洗浄液２内でボールレンズ６を一様に洗浄することができる。
【００２５】
また、洗浄終了時に洗浄治具１を洗浄液２から引き上げる際、貫通孔８を通して保持板部１０及びボールレンズ６に付着した洗浄液２を好適に流し去ることができ、かつ、ボールレンズ６を容易に転動させることができ、ボールレンズ６や保持板部１０からの液切れを短時間で行うことができる。
さらに、ボールレンズ６を保持板部１０の貫通孔８内に挿入した際、保持板部１０の上方から突出することなく収容することができる。従って、ボールレンズ６を収容した状態で他の洗浄治具を上下に重ねることができる。
【００２６】
また、支持部を丸棒部材１１としているので、保持板部１０に容易に組み付けることができボールレンズ６と丸棒部材１１とを容易に一点で接触させることができる。
また、貫通孔８が互いに隣接して複数配されているので、限られた保持板部１０の上面側面積内に多数の貫通孔８を配することができ、より多くの被洗浄物を配して洗浄効率を向上することができる。
【００２７】
次に、第２の実施形態について図３を参照しながら説明する。
なお、上述した第１の実施形態と同様の構成要素には同一符号を付すとともに説明を省略する。
第２の実施形態と第１の実施形態との異なる点は、本実施形態に係る洗浄治具１５の貫通孔１６が長孔形状とされている点である。
【００２８】
貫通孔１６は、図３（ａ）（ｂ）に示すように、内周面の曲率半径が、ボールレンズ６の半径よりも大きいものとされている。
丸棒部材１１は、貫通孔１６の長径方向に延びるように保持板部１７に配されている。
この洗浄治具１５によれば、上記第１の実施形態と同様の作用・効果を奏することができる上、貫通孔１６内でのボールレンズ６の移動距離を長くすることができ、ボールレンズ６をより容易に反転させて洗浄効率を向上することができる。
【００２９】
次に、第３の実施形態について図４から図６を参照しながら説明する。
なお、上述した他の実施形態と同様の構成要素には同一符号を付すとともに説明を省略する。
第３の実施形態と第１の実施形態との異なる点は、本実施形態に係る洗浄治具３０の貫通孔８が、図４（ａ）（ｂ）に示すように、保持板部３１に対して格子状に複数の貫通孔列３２を構成して配され、支持部３３が、図５（ａ）（ｂ）に示すように、各貫通孔８の下方側開口部８Ａの中心部で互いに交差するように格子状に配された角棒部材（軸部材）３５と、角棒部材３５の各交点から貫通孔８の中心軸Ｃに沿って立設する突出部３６とを備えているとした点である。
【００３０】
保持板部３１の板厚、角棒部材３５の厚さ、及び、突出部３６の貫通孔８内への突出高さは、貫通孔８内にボールレンズ６を挿入して突出部３６の先端に当接させた際に、貫通孔８の上方側開口部８Ｂからボールレンズ６が突出しないようにそれぞれ調整されている。
貫通孔８を除いた保持板部３１の残りの部分には、貫通孔８に沿って洗浄液２が上下方向に通過可能な円形断面を有する液切り孔３７がさらに配されている。
【００３１】
突出部３６の先端は半球状に形成されており、ボールレンズ６を貫通孔８に挿入した際、ボールレンズ６と一点で接触可能とされている。従って、洗浄治具３０が、貫通孔８の内周面８Ｃの一点と、突出部３６の一点との二点でボールレンズ６と接してこれを保持することとなる。なお、突出部３６の先端形状は、半球状だけに限られず、円錐状とされていても構わない。
【００３２】
次に、本実施形態に係る洗浄治具３０による洗浄方法について説明する。
まず、保持板部３１の各貫通孔８内に上方側開口部８Ｂからボールレンズ６を挿入する。
このとき、ボールレンズ６は、図６（ａ）（ｂ）に示すように、貫通孔８の内周面８Ｃの一点と、突出部３６の一点との二点で洗浄治具３０と接する。すなわち、図６（ｃ）に示すように、貫通孔８の中心軸Ｃと、ボールレンズ６の中心と突出部３６との接点とを結ぶ直線Ｌとが一定の角度で傾斜した状態でボールレンズ６が貫通孔８内に収容される。
【００３３】
この状態の洗浄治具３０を洗浄槽３内に浸漬させて超音波振動子５によって洗浄液２に超音波を印加する。
この超音波によって振動状態とされた洗浄液２がボールレンズ６の表面に当たってボールレンズ６を洗浄する。
【００３４】
ここで、貫通孔８のみならず、液切り孔３７が下方側開口部８Ａから上方側開口部８Ｂに向けて直線状に延びているので、貫通孔８からだけでなく、液切り孔３７からも超音波が通過する。そのため、超音波が減衰することなく洗浄液２の液面に到達して下方に反射して洗浄液２を上下方向に流動させ、ボールレンズ６を貫通孔８内で転動させて洗浄する。
【００３５】
ボールレンズ６の洗浄を終了する際には、図示しない昇降装置によってロッド７を駆動して洗浄治具３０を引き上げて、ボールレンズ６を収容したままで洗浄治具３０を取り出す。
このとき、保持板部３１の上面に滞留した洗浄液２は、貫通孔８と液切り孔３７との両方から下方に流れ落ちていく。
【００３６】
この洗浄治具３０及び洗浄方法によれば、ボールレンズ６と接触する突出部３６が角棒部材３５から立設しているので、角棒部材３５の配設方向に拘わらず、ボールレンズ６を貫通孔８の中心軸Ｃに対して一定の角度で傾けて配することができ、第１の実施形態の場合よりもボールレンズ６を貫通孔８内で不安定な状態とすることができ、より容易にボールレンズ６を貫通孔８内で転動させてボールレンズ６を満遍なく洗浄することができる。
また、液切り孔３７が配されているので、貫通孔８のみの場合よりもより容易に、かつ、短時間で保持板部３１及びボールレンズ６から洗浄液を除去することができる。
【００３７】
次に、第４の実施形態について図７及び図８を参照しながら説明する。
なお、上述した他の実施形態と同様の構成要素には同一符号を付すとともに説明を省略する。
第４の実施形態と第３の実施形態との異なる点は、図７に示すように、本実施形態に係る洗浄治具４０の貫通孔８が第１の実施形態と同様に配されているとともに、角棒部材４１が、ハニカム断面状に配されているとした点である。
突出部３６は、角棒部材４１の全ての交点ではなく、一つおきに貫通孔８に合わせて配されている。
液切り孔４２は断面三角形状とされて、貫通孔８に沿って配されている。
【００３８】
この洗浄治具４０の貫通孔８にボールレンズ６を挿入した場合、図８（ａ）（ｂ）に示すように、貫通孔８の内周面８Ｃの一点と、突出部３６の一点との二点で洗浄治具４０と接する状態となる。すなわち、上記第３の実施形態と同様、図８（ｃ）に示すように、貫通孔８の中心軸Ｃと、ボールレンズ６の中心と突出部３６との接点とを結ぶ直線Ｌとが一定の角度で傾斜した状態でボールレンズ６が貫通孔８内に収容される。
【００３９】
この洗浄治具４０によれば、上記他の実施形態と同様の作用・効果を奏することができる。さらに、角棒部材４１がハニカム断面状となるように配設されているので、貫通孔８の配列数を増やしてボールレンズ６の収容数を増加しても、ボールレンズ６を上記実施形態と同様に保持して洗浄することができ、ボールレンズ６の生産性をより高めることができる。
【００４０】
なお、本発明の技術範囲は上記実施の形態に限定されるものではなく、本発明の趣旨を逸脱しない範囲において種々の変更を加えることが可能である。
例えば、図９に示すように、保持板部５０の貫通孔８を第４の実施形態と同様に配するとともに、図１０に示すように、角棒部材５１を格子状に配して突出部３６を貫通孔８の中心部に合わせて一つおきの交点に配したものとしても構わない。
この場合、第４の実施形態と同様に液切り孔５２が断面三角形状で配されている。
このような洗浄治具５３であっても、上記他の実施形態と同様の作用・効果を奏することができる。
【００４１】
また、支持部が、第１の実施形態における洗浄治具１の丸棒部材１１だけでなく、各貫通孔８の中心位置に丸棒部材１１から立設する突出部３６をさらに備えているとしてもよい。さらに、軸部材が貫通孔の下方側開口部を横断するようなものだけでなく、各貫通孔の開口部毎に個別にその周端部から中心部に向けて突出する軸部材を配し、その先端に突出部を配したものとしても構わない。
また、保持板部と支持部とを一体に形成させても構わない。この場合、貫通孔と支持部とを一度に位置決めすることができ、より正確に洗浄治具とボールレンズとを二点接触させることができる。
【００４２】
また、ボールレンズを洗浄する際、図１１に示すように、揺動装置６０と接続されたロッド６１に、例えば、第１の実施形態に係る洗浄治具１を連結し、洗浄治具１に対して超音波振動子６２を通過させた洗浄液２を、超音波振動子６２と連通されて水平方向に移動可能なノズル６３から噴出させて洗浄する超音波流水洗浄を行ってもよい。
揺動装置６０は、洗浄治具１をロッド６１先端で水平状態から略４５度の角度まで傾けながら、かつ、ロッド６１を介して洗浄治具１を上下運動させるものとされている。なお、洗浄液２は、洗浄槽６５の底部から回収して繰り返し超音波振動子６２を通過するように供給される。
【００４３】
この洗浄方法によれば、ノズル６３の移動と洗浄治具１の揺動とを組み合わせることによって、洗浄液２をノズル６３からすべてのボールレンズに向けて均等に噴出させることができる。この際、ボールレンズが貫通孔に対して二点で接触していることから、貫通孔内でボールレンズを十分に転動させることができる。
また、洗浄治具１を通過する洗浄液２を、貫通孔を介して容易に、かつ、短時間に洗浄槽６５に貯留させて回収することができる。
【図面の簡単な説明】
【００４４】
【図１】本発明の第１の実施形態に係る洗浄治具と洗浄方法を示す説明図である。
【図２】本発明の第１の実施形態に係る洗浄治具にボールレンズを収容した状態を示す（ａ）上部斜視図、（ｂ）下部斜視図である。
【図３】本発明の第２の実施形態に係る洗浄治具にボールレンズを収容した状態を示す（ａ）上部斜視図、（ｂ）下部斜視図である。
【図４】本発明の第３の実施形態に係る洗浄治具を示す（ａ）平面図、（ｂ）側面図である。
【図５】本発明の第３の実施形態に係る洗浄治具の支持部を示す（ａ）平面図、（ｂ）側面図である。
【図６】本発明の第３の実施形態に係る洗浄治具にボールレンズを収容した状態を示す（ａ）上部斜視図、（ｂ）下部斜視図、（ｃ）側面断面図である。
【図７】本発明の第４の実施形態に係る洗浄治具を示す平面図である。
【図８】本発明の第４の実施形態に係る洗浄治具にボールレンズを収容した状態を示す（ａ）上部斜視図、（ｂ）下部斜視図、（ｃ）側面断面図である。
【図９】本発明の他の実施形態に係る洗浄治具を示す（ａ）平面図、（ｂ）側面図である。
【図１０】本発明の他の実施形態に係る洗浄治具の支持部を示す（ａ）平面図、（ｂ）側面図である。
【図１１】本発明の他の実施形態に係る洗浄方法を示す説明図である。
【符号の説明】
【００４５】
１、１５、３０、４０、５３  洗浄治具
２  洗浄液（流体）
６  ボールレンズ（被洗浄物）
８、１６  貫通孔
１０、１７、３１、５０  保持板部
１１  丸棒部材（支持部、軸部材）
３３  支持部
３５、４１、５１  角棒部材（軸部材）
３６  突出部
３７、４２  液切り孔
【図１】
2006075761.tif 000003
【図２】
2006075761.tif 000004
【図３】
2006075761.tif 000005
【図４】
2006075761.tif 000006
【図５】
2006075761.tif 000007
【図６】
2006075761.tif 000008
【図７】
2006075761.tif 000009
【図８】
2006075761.tif 000010
【図９】
2006075761.tif 000011
【図１０】
2006075761.tif 000012
【図１１】
2006075761.tif 000013